(57)【特許請求の範囲】
【請求項１】
汚水枡の内部に、真空圧が作用される真空下水管の先端部が挿入配置され、
該真空下水管の先端部に、真空弁を介して、汚水枡内部の汚水を吸込可能な汚水吸込管が接続され、
前記真空弁または真空弁よりも下流側の部分に、汚水枡内部の汚水を直接真空吸引可能なバイパス管が分岐接続され、
該バイパス管の途中に、前記真空弁を開閉するための真空圧を取出可能な真空ホースが分岐接続された真空弁ユニットであって、
前記バイパス管途中の前記真空ホースの分岐部分に、前記バイパス管の先端部と前記真空ホースとのどちらか一方を、前記バイパス管の真空下水管側の部分に対して選択的に切替可能な三方弁を設けたことを特徴とする真空弁ユニット。
【請求項２】
前記三方弁を、１箇所の下部接続口と、該下部接続口を挟んで互いに反対の側に位置する２箇所の上部接続口とを有する側面視ほぼＴ字型のものとすると共に、
前記下部接続口に前記バイパス管の真空下水管側の部分を接続し、前記上部接続口の一方に前記バイパス管の先端部側の部分を接続し、前記上部接続口の他方に前記真空ホースを接続したことを特徴とする請求項１記載の真空弁ユニット。
【請求項３】
前記三方弁を、前記汚水枡の上端部近傍の位置に保持可能な弁保持部を設けたことを特徴とする請求項１または請求項２記載の真空弁ユニット。
【請求項４】
汚水枡の内部に、真空圧が作用される真空下水管の先端部が挿入配置され、
該真空下水管の先端部に、真空弁を介して、汚水枡内部の汚水を吸込可能な汚水吸込管が接続され、
前記真空弁または真空弁よりも下流側の部分に、汚水枡内部の汚水を直接真空吸引可能なバイパス管が分岐接続され、
該バイパス管の途中に、前記真空弁を開閉するための真空圧を取出可能な真空ホースが分岐接続された真空弁ユニットであって、
前記真空弁に、バイパス管を取付けるためのバイパス管取付予定部が予め形成されたことを特徴とする真空弁ユニット。
【発明の詳細な説明】
【技術分野】
【０００１】
この発明は、真空式下水道システムに用いられる真空弁ユニットに関するものである。
【背景技術】
【０００２】
近年、自然流下式下水道システムに代わって、真空式下水道システムの採用が増加しつつある。この真空式下水道システムは、真空圧を利用して、汚水枡に溜まった汚水を吸引収集するものである（例えば、特許文献１、特許文献２参照）。
【０００３】
より具体的には、真空式下水道システムは、建物などから排出された汚水を、真空弁を備えた汚水枡である真空弁ユニットに一時的に貯留しておくと共に、汚水枡の汚水が一定量に達した時に、真空弁を開放することにより、真空弁の下流側に接続された真空下水管を通じて、汚水を真空圧で真空ステーションの集水タンクへ移送するようにした下水道システムである。真空ステーションの集水タンクへ移送された汚水は、その後、圧送ポンプを用いて下水処理場へ送られて処理される。
【０００４】
そして、上記した真空弁ユニットは、以下のようなものである。
【０００５】
先ず、図５に示すように、汚水枡１の内部に、真空圧が作用される真空下水管２の先端部が挿入配置される。この真空下水管２の先端部に、真空弁３を介して、汚水枡１内部の汚水を吸込可能な汚水吸込管４が接続される。そして、真空弁３を開閉するための真空圧を取出可能な真空ホース５が、上記した真空下水管２や真空弁３などから分岐接続される。この真空ホース５は、真空下水管２などと比べてかなり小径のものとされる。この真空ホース５の途中には、メンテナンス時に真空圧を遮断するための小開閉弁６（常時開弁）が設置される。
【０００６】
このような構成によれば、真空弁３を開くことにより、真空下水管２と汚水吸込管４とが連通され、真空下水管２の真空圧が、汚水吸込管４に作用されるようになる。これにより、汚水枡１内部の汚水を、汚水吸込管４から吸込み、真空弁３を介して真空下水管２へと移送することができる。
【０００７】
反対に、真空弁３を閉じることにより、真空下水管２と汚水吸込管４との間が遮断され、真空下水管２の真空圧が、汚水吸込管４に作用されなくなる。これにより、汚水枡１内部の汚水の吸込みを停止させることができる。
【０００８】
そして、真空弁３は、真空圧と大気圧とを利用して開閉される。真空弁３を開閉させるための真空圧は、通常、真空下水管２や真空弁３などから真空弁３の弁制御部３ｃへ供給される。なお、真空弁３は、汚水枡１内部の汚水の水位に応じて開閉されるように構成されている。
【０００９】
このような真空弁３ユニットには、真空下水管２の先端部と真空弁３との間に、仕切弁７を設置したものが存在している。
【００１０】
このように、真空下水管２の先端部と真空弁３との間に仕切弁７を設置することにより、仕切弁７を閉じることによって、真空下水管２と、真空弁３および汚水吸込管４との間を確実に遮断して、真空弁３および汚水吸込管４に真空圧が作用されないようにすることができる。これにより、容易に真空弁３のメンテナンスなどを行うことが可能となる。
【００１１】
また、上記した真空弁３ユニットには、真空下水管２の先端部から真空弁３まで間の部分に、汚水枡１内部の汚水を直接、強制的に真空吸引可能なバイパス管８を分岐接続したものが存在している。このバイパス管８は、真空下水管２や汚水吸込管４などよりは径が小さいが、上記した真空ホースよりはかなり径が大きいものとされる。このバイパス管８の途中には、バイパス管８を開閉するための開閉弁９（常時閉弁）が設置される。なお、上記した仕切弁７については、設けても設けていなくても良い。
【００１２】
このように、真空下水管２の先端部から真空弁３まで間の部分に、バイパス管８を設けることにより、必要な時に随時、開閉弁９を開けることによって、汚水枡１内部の汚水を直接、強制的に吸出すことができる。なお、必要な時とは、例えば、真空弁３の不具合（真空弁３が所定水位となっても開かないような事態）などによって汚水枡１内部の汚水の水位が異常に上昇してしまったような時や、真空弁３のメンテナンス作業の直前などである。
【００１３】
バイパス管８を設けた場合、上記した真空ホース５は、真空弁３や仕切弁７や真空下水管２などから分岐させるようにしても良いが、真空ホース５を汚水の流れに対して遠い位置に離すために、バイパス管８の途中（開閉弁９の上流側）から分岐させるようにすることが行われている。
【００１４】
また、上記とは反対に、上記したバイパス管８を、真空弁３や仕切弁７や真空下水管２などにおける真空ホース５の分岐部分の位置に接続することも考えられるが、真空ホース５の分岐部分は、上記したように、かなり口径が小さいため、詰まりを生じるおそれがあるので、バイパス管８を取付けることは通常行われない。
【先行技術文献】
【特許文献】
【００１５】
【特許文献１】特開2009-281042号公報
【特許文献２】特開2010-116693号公報
【発明の概要】
【発明が解決しようとする課題】
【００１６】
しかしながら、上記真空弁ユニットには、以下のような問題があった。
【００１７】
即ち、上記したように、バイパス管８の途中から真空ホース５を分岐接続した場合には、バイパス管８の使用時に、バイパス管８を流れる汚水が真空ホース５へ逆流して弁制御部３ｃへ流れ込まないようにする必要がある。そのために、開閉弁９によってバイパス管８を開く前に、小開閉弁６によって真空ホース５を確実に閉じておくようにしなければならない。
【００１８】
しかし、小開閉弁６と開閉弁９とをそれぞれ開閉操作すること、および、これらを手順を間違えずに順番に開閉操作することは、作業員にとって煩わしく、また、開閉操作のし忘れが起こる可能性があった。
【００１９】
特に、真空ホース５の途中の小開閉弁６は、文字通り小さく、しかも、バイパス管８の奥などに隠れた状態で配置されることが多いため、小開閉弁６の閉め忘れが起こり易かった。そして、小開閉弁６を閉め忘れた場合、真空ホース５を介して真空弁３の弁制御部３ｃに汚水が入り、真空弁３に不具合を生じさせてしまう。そこで、このような誤操作による不具合を防止するために、真空ホース５の小開閉弁６と真空弁３の弁制御部３ｃとの間の部分に、真空弁３への汚水の流入を防止可能な逆止弁１０を設ける必要が生じる。
【００２０】
また、バイパス管８の使用時に、小開閉弁６と開閉弁９とを正しく開閉操作した場合であっても、使用後に小開閉弁６を開けるのを忘れてしまうと、真空弁３の弁制御部３ｃに、真空弁３の開閉のための真空圧が付与されなくなるため、真空弁３が作動しないという二次的トラブルを生じるおそれがある。
【００２１】
更に、上記した逆止弁１０が必須の構成となる場合、万一、真空ホース５に汚水が流入した際に、逆止弁１０に異物の噛み込みなどが生じてしまうと、真空弁３の正常な作動が妨げられるおそれがあるので、逆止弁１０の管理が必要になる。
【００２２】
また、上記の他にも、以下のような要望が存在している。
【００２３】
即ち、上記した仕切弁７やバイパス管８は、真空弁３のメンテナンス等を行う上で非常に有効なものであるが、既存の真空弁３ユニットにはこれらのうちの少なくともいずれかを備えていないものも多く、機能向上のためにこれらを追設することが望まれている。しかし、これらを取付けるためには、汚水枡１の内部に空間的な余裕が必要であり、既存の真空弁３ユニットには、そのような空間的な余裕のないものが多い。よって、これらを追設したくても、あきらめざるを得ない状況が生じている。
【課題を解決するための手段】
【００２４】
上記課題を解決するために、請求項１に記載された発明は、汚水枡の内部に、真空圧が作用される真空下水管の先端部が挿入配置され、該真空下水管の先端部に、真空弁を介して、汚水枡内部の汚水を吸込可能な汚水吸込管が接続され、前記真空弁または真空弁よりも下流側の部分に、汚水枡内部の汚水を直接真空吸引可能なバイパス管が分岐接続され、該バイパス管の途中に、前記真空弁を開閉するための真空圧を取出可能な真空ホースが分岐接続された真空弁ユニットであって、前記バイパス管途中の前記真空ホースの分岐部分に、前記バイパス管の先端部と前記真空ホースとのどちらか一方を、前記バイパス管の真空下水管側の部分に対して選択的に切替可能な三方弁を設けたことを特徴とする。
【００２５】
請求項２に記載された発明は、上記において、前記三方弁を、１箇所の下部接続口と、該下部接続口を挟んで互いに反対の側に位置する２箇所の上部接続口とを有する側面視ほぼＴ字型のものとすると共に、前記下部接続口に前記バイパス管の真空下水管側の部分を接続し、前記上部接続口の一方に前記バイパス管の先端部側の部分を接続し、前記上部接続口の他方に前記真空ホースを接続したことを特徴とする。
【００２６】
請求項３に記載された発明は、上記において、前記三方弁を、前記汚水枡の上端部近傍の位置に保持可能な弁保持部を設けたことを特徴とする。
【００２７】
請求項４に記載された発明は、汚水枡の内部に、真空圧が作用される真空下水管の先端部が挿入配置され、該真空下水管の先端部に、真空弁を介して、汚水枡内部の汚水を吸込可能な汚水吸込管が接続され、前記真空弁または真空弁よりも下流側の部分に、汚水枡内部の汚水を直接真空吸引可能なバイパス管が分岐接続され、該バイパス管の途中に、前記真空弁を開閉するための真空圧を取出可能な真空ホースが分岐接続された真空弁ユニットであって、前記真空弁に、バイパス管を取付けるためのバイパス管取付予定部が予め形成されたことを特徴とする。
【発明の効果】
【００２８】
請求項１の発明によれば、上記構成によって、以下のような作用効果を得ることができる。即ち、バイパス管途中の真空ホースの分岐部分に、三方弁を設けたことにより、三方弁のみを切替操作することによって、バイパス管の先端部と真空ホースとの一方の開放と他方の遮断とを、同時に行うことが可能となる。これにより、バイパス管の使用時や使用後にバイパス管と真空ホースとを手順に従って順番に開閉操作する必要を無くし、開閉操作の煩わしさや、開閉操作のし忘れや、開閉操作のし忘れによる真空弁の動作不良などをなくして、確実にメンテナンスを行うことが可能となる。
【００２９】
請求項２の発明によれば、上記構成によって、以下のような作用効果を得ることができる。即ち、バイパス管の先端部側の部分と、真空ホースとを、下部接続口を挟んで互いに反対の側に位置された２箇所の上部接続口のそれぞれに接続することにより、バイパス管の先端部側の部分と、真空ホースとが連通し難い構造的とすることができる。これにより、バイパス管の先端部側の部分から真空吸引された汚水が真空ホースを介して真空弁へ逆流して不具合を生じることを確実に防止することが可能となる。
【００３０】
請求項３の発明によれば、上記構成によって、以下のような作用効果を得ることができる。即ち、弁保持部を設けることにより、三方弁を汚水枡の上端部近傍の位置に保持することが可能となる。これにより、三方弁を手の届き易い位置に設置しておくことが可能となる。
【００３１】
請求項４の発明によれば、上記構成によって、以下のような作用効果を得ることができる。即ち、真空弁に予めバイパス管取付予定部を形成しておくことにより、必要な場合に、バイパス管取付予定部を利用して、バイパス管を取付けることが可能となる。例えば、既存の汚水枡で内部に空間的な余裕がない場合であっても、バイパス管取付予定部を備えた真空弁に交換するだけで、バイパス管取付予定部を利用してバイパス管を取付けることが可能となり、バイパス管を利用することができるようになる。
【図面の簡単な説明】
【００３２】
【図１】本発明の実施例にかかる真空弁ユニットの縦断面図である。
【図２】図１の横断面図である。
【図３】図１の真空弁に設けられたバイパス管取付予定部の部分拡大断面図である。
【図４】図３を軸線方向から見た部分拡大断面図である。
【図５】従来例にかかる真空弁ユニットの縦断面図である。
【発明を実施するための形態】
【００３３】
本発明は、上記した各問題点を解決するために、主に、バイパス管の使用時にバイパス管と真空ホースとの両方を個別に開閉操作する必要を無くす構成を備えるようにしている。
【００３４】
以下、本発明を具体化した実施例について、図示例と共に説明する。
【実施例】
【００３５】
図１〜図４は、この発明の実施例を示すものである。
【００３６】
＜構成＞まず、構成について説明する。
【００３７】
この実施例は、真空圧を利用して、汚水枡に溜まった汚水を吸引収集する真空式下水道システムに関する。
【００３８】
このような真空式下水道システムは、建物などから排出された汚水を、真空弁を備えた汚水枡である真空弁ユニットに一時的に貯留しておくと共に、汚水枡の汚水が一定量に達した時に、真空弁を開放することにより、真空弁の下流側に接続された真空下水管を通じて、汚水を真空圧で真空ステーションの集水タンクへ移送するようにした下水道システムである。真空ステーションの集水タンクへ移送された汚水は、その後、圧送ポンプを用いて下水処理場へ送られて処理される。
【００３９】
上記した真空弁ユニットは、より具体的には、以下のような構成を備えている。
【００４０】
即ち、図１（および図２）に示すように、汚水枡２１の内部に、真空圧が作用される真空下水管２２の先端部が挿入配置される。汚水枡２１の内部に挿入された真空下水管２２の先端部に、真空弁２３を介して、汚水枡２１内部の汚水を吸込可能な汚水吸込管２４が接続される。
【００４１】
更に、真空弁２３または真空弁２３よりも（汚水の流れの）下流側の部分に、汚水枡２１内部の汚水を直接、強制的に真空吸引可能なバイパス管２５が分岐接続される。
【００４２】
そして、バイパス管２５の途中に、真空弁２３を開閉するための真空圧を取出可能な真空ホース２６が分岐接続される。
【００４３】
ここで、「汚水枡２１」は、地中に埋設されるものである。この場合、汚水枡２１は、コンクリート製の容器状をした汚水枡本体２１ａと、この汚水枡本体２１ａの上端部に設けられた開口部に対して開閉可能に取付けられた蓋部２１ｂとを有している。汚水枡本体２１ａの側部には、汚水流入管２１ｃや通気管２１ｄが接続されている。
「真空下水管２２」は、所要の排水勾配とリフト部とを繰り返しつつ横方向へ延設されるものである。
「真空弁２３」は、真空下水管２２に接続される短管状の接続管部２３ａと、この接続管部２３ａの内部に設けられた図示しない弁座に対して図示しない弁体を開閉動させるための弁本体２３ｂと、この弁本体２３ｂに弁体の開閉動を行わせるための弁制御部２３ｃとを備えている。接続管部２３ａや弁本体２３ｂのハウジングは、例えば、樹脂などで構成されている。また、弁制御部２３ｃには、水位検知管３１に取付けられた水位検知用ホース３２が接続される。弁制御部２３ｃや弁本体２３ｂには、空気連通管３３に取付けられた大気ホース３４，３５が接続される。
そして、真空下水管２２と真空弁２３との間には、必要に応じて「仕切弁３６」が設けられる。
「バイパス管２５」は、真空下水管２２の（汚水枡２１の内部に挿入された）先端部、仕切弁３６（の真空下水管２２および真空弁２３との接続部分）、真空弁２３の接続管部２３ａ（の図示しない弁座よりも下流側の部分）のいずれかに接続することができる。この場合には、バイパス管２５は、仕切弁３６の下流側に接続されている。
「真空ホース２６」は、真空下水管２２や上記したバイパス管２５などと比べてかなり小径のものとされる。この真空ホース２６の途中には、真空ホース２６を閉止可能な小開閉弁３７（常時開弁）が設けられる。この小開閉弁３７は、真空弁２３をメンテナンスする時に真空ホース２６を閉じるために必要なものである。また、必須ではないが、多重の安全手段として、真空ホース２６の小開閉弁３７と弁制御部２３ｃとの間に、弁制御部２３ｃへの汚水の流入を防止可能な逆止弁３８を設けるようにしても良い。
【００４４】
なお、真空下水管２２と、仕切弁３６と、真空弁２３と、汚水吸込管２４とのそれぞれの間は、ゴム輪接続と、バンド固定とを併用した連結部材などによって気密に連結される。
【００４５】
そして、以上のような構成に対し、この実施例のものでは、以下のような構成を備えるようにしている。
【００４６】
（１）バイパス管２５途中の真空ホース２６の分岐部分に、バイパス管２５の先端部２５ａと真空ホース２６とのどちらか一方を、バイパス管２５の真空下水管２２側の部分２５ｂ（基端部）に対して選択的に切替可能な三方弁４１を設けるようにする。
【００４７】
（２）そして、上記した三方弁４１を、１箇所の下部接続口４１ａと、この下部接続口４１ａを挟んで互いに反対の側に位置する２箇所の上部接続口４１ｂ，４１ｃとを有する側面視ほぼＴ字型のものとする。そして、下部接続口４１ａに、バイパス管２５の真空下水管２２側の部分２５ｂを接続する。また、上部接続口４１ｂの一方に、バイパス管２５の先端部２５ａ側の部分を接続する。そして、上部接続口４１ｃの他方に、真空ホース２６を接続する。
【００４８】
ここで、「三方弁４１」は、上記した下部接続口４１ａや上部接続口４１ｂ，４１ｃを有する弁本体４１ｄと、三方弁４１を切替えるための操作部４１ｅ（ハンドル部）とを有している。三方弁４１は、全体がほぼ硬質の樹脂によって構成されている。この場合、一方の上部接続口４１ｂは、下向きに曲げ形成されている。また、他方の上部接続口４１ｃは、下向きに曲げ形成された後に、真空弁２３の弁制御部２３ｃへ向けて横方向に曲げ形成されている。
「バイパス管２５の真空下水管２２側の部分２５ｂ」「バイパス管２５の先端部２５ａ」「真空ホース２６」は、それぞれ、樹脂製の柔軟な管（フレキシブル管）によって構成されている。
【００４９】
（３）更に、三方弁４１を、汚水枡２１の上端部近傍の位置に保持可能な弁保持部４３を設ける。
【００５０】
この「弁保持部４３」は、例えば、汚水枡２１内部の上端付近に取付けられた係止ブラケットや係止フックなどとすることができる。
【００５１】
（４）そして、図３、図４に示すように、真空弁２３の真空下水管２２等との接続部分（接続管部２３ａ）に対し、バイパス管２５を取付けるためのバイパス取付口４４を形成可能なバイパス管取付予定部４５を予め設けるようにする。
【００５２】
この「バイパス管取付予定部４５」は、バイパス管２５の取付けに必要な強度（肉厚など）および大きさを確保可能な厚肉管台部とされている。このバイパス管取付予定部４５は、真空弁２３の接続管部２３ａの上半部（好ましくは上部）に一体的に形成される。そして、バイパス管取付予定部４５の外面（この場合には上面）は、バイパス管２５と同じかそれよりも径の大きい平坦面４５ａとされている。バイパス管取付予定部４５の外面中央部には、バイパス取付口４４の中心を規定すると共に、バイパス取付口４４を開口形成する際の加工起点となる小凹部４５ｂ（ポンチ部）が設けられる。そして、バイパス管取付予定部４５を開口して成るバイパス取付口４４には、バイパス管２５を接続するための接続用部材４６が取付けられることとなる。この接続用部材４６は、例えば、筒状をしてバイパス取付口４４へ螺着可能または圧入固定可能なものなどとされる。そのために、接続用部材４６のバイパス取付口４４に対する挿入部分の外周にはネジや圧入部などが形成される。
【００５３】
＜作用＞次に、この実施例の作用について説明する。
【００５４】
真空弁２３を開くことにより、真空下水管２２と汚水吸込管２４とが連通され、真空下水管２２の真空圧が、汚水吸込管２４へ作用されるようになる。これにより、汚水枡２１内部の汚水を、汚水吸込管２４から吸込み、真空弁２３を介して真空下水管２２へと移送することができる。
【００５５】
反対に、真空弁２３を閉じることにより、真空下水管２２と汚水吸込管２４との間が遮断され、真空下水管２２の真空圧が、汚水吸込管２４に作用されなくなる。これにより、汚水枡２１内部の汚水の吸込みを停止させることができる。
【００５６】
ここで、通常時には、三方弁４１を、バイパス管２５の真空下水管２２側の部分２５ｂと、真空ホース２６とが接続されるよう選択的に切替えておく。これにより、真空ホース２６を介して真空弁２３に真空圧が付与される状態となり、この真空圧によって真空弁２３を開閉させることが可能となる。
【００５７】
また、メンテナンス時などには、仕切弁３６を閉じることで、真空下水管２２と、真空弁２３および汚水吸込管２４との間を確実に遮断して、真空弁２３や汚水吸込管２４に真空圧が作用されないようにすることができる。また、メンテナンス終了後には、仕切弁３６を開くことで、真空弁２３や汚水吸込管２４に真空圧が作用されるようにすることができる。これにより、容易にメンテナンスを行うことが可能となる。
【００５８】
そして、バイパス管２５の使用時には、三方弁４１を、バイパス管２５の真空下水管２２側の部分２５ｂと、バイパス管２５の先端部２５ａとが接続されるよう切替える。これにより、汚水枡２１内部の汚水を、真空圧により、バイパス管２５の先端部２５ａから強制的に吸込んで、三方弁４１、バイパス管２５の真空下水管２２側の部分２５ｂを介し、真空下水管２２へと送るようにすることができる。よって、汚水枡２１の内部の汚水を吸出して異常水位を解消したり真空弁２３のメンテナンスを行ったりすることが可能となる。
【００５９】
バイパス管２５の使用後には、三方弁４１を、バイパス管２５の真空下水管２２側の部分２５ｂと、真空ホース２６とが接続される状態に切替える。これにより、真空弁２３に開閉用の真空圧が付与されることとなるので、真空弁２３が動作しないという二次的トラブルをなくすことができる。
【００６０】
また、三方弁４１によって、二者択一的にバイパス管２５の先端部２５ａと真空ホース２６とが切替えられるので、真空ホース２６に対して、逆止弁３８を設ける必要をなくすことができる。
【００６１】
そして、例えば、既存の汚水枡２１で、内部に空間的な余裕がない場合に、上記したバイパス管２５を追設する場合、先ず、既存の真空弁を、バイパス管取付予定部４５を備えた上記真空弁２３に交換する。そして、真空弁２３の真空下水管２２との接続部分（接続管部２３ａ）に形成したバイパス管取付予定部４５を利用して、バイパス管２５を接続するには、小凹部４５ｂを利用してバイパス取付口４４を加工形成し、形成されたバイパス取付口４４に接続用部材４６を取付けて、接続用部材４６にバイパス管２５を取付けるようにする。そして、バイパス管２５の途中から真空ホース２６を分岐し、真空ホース２６の分岐部に上記した三方弁４１を設けるようにする。
【００６２】
＜効果＞この実施例によれば、以下のような効果を得ることができる。
【００６３】
（１）バイパス管２５途中の真空ホース２６の分岐部分に、三方弁４１を設けたことにより、三方弁４１のみを切替操作することによって、バイパス管２５の先端部２５ａと真空ホース２６との一方の開放と他方の遮断とを、同時に行うことが可能となる。これにより、バイパス管２５の使用時や使用後にバイパス管２５と真空ホース２６とを手順に従って順番に開閉操作する必要を無くし、開閉操作の煩わしさや、開閉操作のし忘れや、開閉操作のし忘れによる真空弁２３の動作不良などをなくして、確実にメンテナンスを行うことが可能となる。
【００６４】
（２）バイパス管２５の先端部２５ａ側の部分と、真空ホース２６とを、下部接続口４１ａを挟んで互いに反対の側に位置された２箇所の上部接続口４１ｂ，４１ｃのそれぞれに接続することにより、バイパス管２５の先端部２５ａ側の部分と、真空ホース２６とが連通し難い構造とすることができる。これにより、バイパス管２５の先端部２５ａ側の部分から真空吸引された汚水が真空ホース２６を介して真空弁２３へ逆流して不具合を生じることを確実に防止することが可能となる。
【００６５】
（３）弁保持部４３を設けることにより、三方弁４１を汚水枡２１の上端部近傍の位置に保持することが可能となる。これにより、三方弁４１を手の届き易い位置に設置しておくことが可能となる。
【００６６】
（４）真空弁２３に予めバイパス管取付予定部４５を形成しておくことにより、必要な場合に、バイパス管取付予定部４５を利用して、バイパス管２５を取付けることが可能となる。例えば、既存の汚水枡２１で内部に空間的な余裕がない場合であっても、バイパス管取付予定部４５を備えた真空弁２３に交換するだけで、バイパス管取付予定部４５を利用してバイパス管２５を取付けることが可能となり、バイパス管２５を利用することができるようになる。
【００６７】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００６８】
２１  汚水枡
２２  真空下水管
２３  真空弁
２４  汚水吸込管
２５  バイパス管
２５ａ  先端部
２５ｂ  部分（基端部）
２６  真空ホース
４１  三方弁
４１ａ  下部接続口
４１ｂ  上部接続口
４１ｃ  上部接続口
４３  弁保持部
４５  バイパス管取付予定部
【図１】
0005580699.tif 000002
【図２】
0005580699.tif 000003
【図３】
0005580699.tif 000004
【図４】
0005580699.tif 000005
【図５】
0005580699.tif 000006